(57)【要約】【課題】簡易な構成で印刷処理を高速に実行できる印刷システム、変換装置、合成装置及び印刷方法を提供すること【解決手段】本発明にかかる印刷用の印刷データを生成する印刷システムは、変換装置と合成装置を備える。変換装置は、印刷データへ記入する記入情報のデータ形式を、元のデータ形式から印刷用の画像データ形式に変換する。合成装置は、データ形式が変換された前記記入情報を、前記印刷データにおいて予め設定された画像データと合成して画像データ形式の印刷データを生成する。【選択図】図１
2014215674.tif 000002
【特許請求の範囲】
【請求項１】
印刷用の印刷データを生成する印刷システムであって、
印刷データへ記入する記入情報のデータ形式を、元のデータ形式から印刷用の画像データ形式に変換する変換装置と、
前記変換装置がデータ形式を変換した前記記入情報を、前記印刷データにおいて予め設定された画像データと合成することにより、画像データ形式の印刷用の印刷データを生成する合成装置と、を備える
印刷システム。
【請求項２】
前記変換装置は携帯端末であり、当該変換装置は、ユーザの操作に応じて前記記入情報の内容を決定する、
請求項１に記載の印刷システム。
【請求項３】
前記合成装置は、生成した前記印刷データを印刷する印刷装置である、
請求項１又は２に記載の印刷システム。
【請求項４】
前記記入情報の元のデータ形式は文字データ形式であり、前記変換装置は文字データ形式の当該記入情報を前記印刷用の画像データ形式に変換するラスタライズを行う、
請求項１ないし３のいずれか一項に記載の印刷システム。
【請求項５】
前記変換装置は、前記合成装置において合成する前記画像データの種別を特定する種別情報を前記合成装置に送信し、
前記合成装置は、前記変換装置が送信した前記種別情報により特定される前記画像データと前記記入情報との合成を行う、
請求項１ないし４のいずれか一項に記載の印刷システム。
【請求項６】
印刷用の印刷データを生成する印刷システムに設けられた変換装置であって、
前記印刷データにおいて予め設定された画像データと合成することにより画像データ形式の印刷用の印刷データを生成するために合成装置が用いる、印刷データへ記入する画像データ形式の記入情報を、元のデータ形式から印刷用の当該画像データ形式に変換して前記合成装置に出力する、
変換装置。
【請求項７】
印刷用の印刷データを生成する印刷システムに備えられた合成装置であって、
変換装置が元のデータ形式から印刷用の画像データ形式にデータ形式を変換した印刷データへ記入する記入情報を前記変換装置から受信し、受信した当該記入情報を前記印刷データにおいて予め設定された画像データと合成することにより、画像データ形式の印刷用の印刷データを生成する、
合成装置。
【請求項８】
印刷データを印刷する印刷システムであって、
ユーザの操作に応じて印刷データへ記入する記入情報の内容を決定する携帯端末と、
前記記入情報のデータ形式を元のデータ形式から印刷用の画像データ形式に変換し、データ形式を変換した前記記入情報を、前記印刷データにおいて予め設定された画像データと合成することにより、印刷装置に印刷させる画像データ形式の印刷データを生成する合成装置と、
前記合成装置が生成した前記印刷データを印刷する印刷装置と、を備える
印刷システム。
【請求項９】
印刷用の印刷データを生成する印刷システムの印刷方法であって、
変換装置が、印刷データへ記入する記入情報のデータ形式を、元のデータ形式から印刷用の画像データ形式に変換するステップと、
合成装置が、前記変換装置がデータ形式を変換した前記記入情報を、前記印刷データにおいて予め設定された画像データと合成することにより、画像データ形式の印刷データを生成するステップと、を備える
印刷方法。
【請求項１０】
印刷データを印刷する印刷システムの印刷方法であって、
携帯端末が、ユーザの操作に応じて印刷データへ記入する記入情報の内容を決定するステップと、
合成装置が、前記記入情報のデータ形式を元のデータ形式から印刷用の画像データ形式に変換し、データ形式を変換した前記記入情報を、前記印刷データにおいて予め設定された画像データと合成することにより、画像データ形式の印刷データを生成するステップと、
印刷装置が、前記合成装置が生成した前記印刷データを印刷するステップと、を備える
印刷方法。
【発明の詳細な説明】
【技術分野】
【０００１】
本発明は印刷システム、変換装置、合成装置及び印刷方法に関する。
【背景技術】
【０００２】
ビジネス等において、印刷を行う複合機は欠かせない技術になっている。以降では、プリンタ、ファクシミリ（ＦＡＸ）、コピー機などの印刷機や、それらの機能を有する複合機（少なくとも印刷機能を有する機械）のことを総称して複合機と記載する。
【０００３】
複合機の印刷に関する技術を大きく分けると、ラスタライズ（元の文書データや画像データ等から印刷用の画像データを作成すること）が、印刷を行なう複合機側で行なわれるか、又はパソコンやスマートデバイスなどの印刷指示を出力する側で行なわれるか、の２つに分類できる。なお、ｉＯＳ（登録商標）端末や、Ａｎｄｏｒｏｉｄ（登録商標）端末に代表される高度な機能を持った携帯電話（例えばスマートフォン）やタブレット端末等の情報端末のことを、以降ではスマートデバイスとして統一して記載する。
【０００４】
複合機側でラスタライズを行なう場合、パソコンが元の画像データをＰＤＬ（Page Description Language:プリンタ記述言語）に変換し、複合機側はそのＰＤＬを読み取ることにより、印刷対象の画像データを生成する。
【０００５】
例えば特許文献１には、ホスト装置において書体データをラスタデータに変換し、そのラスタデータを複合機で印刷する方法が開示されている。
【０００６】
一方、複合機に印刷を指示するパソコンやスマートデバイスでラスタライズする場合、パソコンやスマートデバイスは、印刷したい画像データにスクリーン処理などの処理を行い、生成した印刷用の画像データを複合機に送信する。この処理速度は、パソコンやスマートデバイスの性能に依存する。
【０００７】
例えば特許文献２には、帳票など決まったフォーマットがある場合、複合機がそのフォーマットを利用して、帳票ごとに変更されるテキストデータのみを受信し、そのテキストデータと帳票フォーマットとを合成して印刷する方法が開示されている。これにより、複合機は、全ての画像をラスタライズすることなく印刷を行うことができる。
【０００８】
特許文献３には、ユーザ端末においてユーザが印刷データに印刷する印字データを入力し、外部記憶装置がその印字データを保持して、複合機がその印字データとデザインパターンとを合成して印刷用の画像を生成し、印刷を行う方法が開示されている。
【０００９】
その他、関連技術として、特許文献４〜９に、印刷方法に関する技術が開示されている。例えば特許文献４には、ウィジェットを用いることにより、スマートデバイスからも複合機に印刷指示を与えることが可能な印刷方法が開示されている。
【先行技術文献】
【特許文献】
【００１０】
【特許文献１】特開２０００−０５２６１０号公報
【特許文献２】特表２００７−５１４５６４号公報
【特許文献３】特開２００２−１２０４２８号公報
【特許文献４】特許第４８４２２９７号公報
【特許文献５】特開２０１２−０５８８３４号公報
【特許文献６】特開２０１０−１３１９０７号公報
【特許文献７】特開２００７−２０７２３７号公報
【特許文献８】特開２００６−２８５３９３号公報
【特許文献９】特表２００５−５０４３７５号公報
【発明の概要】
【発明が解決しようとする課題】
【００１１】
パソコンが複合機に画像データの印刷を指示する場合には、ラスタライズを複合機で行なうにせよ、又はパソコンで行なうにせよ、パソコンのＯＳ（Operating System）レベルで印刷用のインタフェースが用意されている。従って、プリンタドライバによる印刷のための処理が高速に行なわれる。
【００１２】
しかし、スマートデバイスが印刷の指示を複合機にする場合、スマートデバイスはＯＳの機能を使わずにユーザが作成したアプリのみで印刷用の処理を全て行なわなければならない。そのため、印刷のための処理に時間が掛かってしまう。
【００１３】
特許文献１では、ホスト装置において書体データをラスタデータに変換する必要がある。即ち、ホスト装置が印刷用の変換処理を全て行う必要がある。従って、上述の問題が生じてしまう。
【００１４】
これに対し、特許文献２、３では、プリンタ側で合成処理を実行しているため、ホスト装置側で変換処理を行う必要はなくなり、上述の問題は生じない。しかし、特許文献２、３ではプリンタ側で合成処理を実行する際に変換処理を行う必要があるため、プリンタの構成が複雑になってしまう。
【００１５】
例えば、複合機でＰＤＬのラスタライズを実行する場合には、複合機のコントローラがＰＤＬから画像データを生成するための計算を行なうため、処理負荷が大きくかかってしまう。そのため、複合機のコントローラに高い処理性能が必要となる。さらに、文字データをラスタライズするためのフォントデータを購入し複合機側に実装する必要があるため、複合機自体の価格が上がってしまう。
【００１６】
本発明は、このような問題点を解決するためになされたものであり、簡易な構成で印刷処理を高速に実行できる印刷システム、変換装置、合成装置及び印刷方法を提供することを目的とする。
【課題を解決するための手段】
【００１７】
本発明の第１の態様は、印刷用の印刷データを生成する印刷システムを含む。この印刷システムは、変換装置と合成装置を備える。変換装置は、印刷データへ記入する記入情報のデータ形式を、元のデータ形式から印刷用の画像データ形式に変換する。合成装置は、前記変換装置がデータ形式を変換した前記記入情報を、前記印刷データにおいて予め設定された画像データと合成することにより、画像データ形式の印刷用の印刷データを生成する。
【００１８】
本発明の第２の態様は、印刷データを印刷する印刷システムを含む。この印刷システムは、携帯端末、合成装置及び印刷装置を備える。携帯端末は、ユーザの操作に応じて印刷データへ記入する記入情報の内容を決定する。合成装置は、前記記入情報のデータ形式を元のデータ形式から印刷用の画像データ形式に変換し、データ形式を変換した前記記入情報を、前記印刷データにおいて予め設定された画像データと合成することにより、印刷装置に印刷させる画像データ形式の印刷データを生成する。印刷装置は、前記合成装置が生成した前記印刷データを印刷する。
【００１９】
本発明の第３の態様は、印刷用の印刷データを生成する印刷システムに設けられた変換装置を含む。この変換装置は、前記印刷データにおいて予め設定された画像データと合成することにより画像データ形式の印刷用の印刷データを生成するために合成装置が用いる、印刷データへ記入する画像データ形式の記入情報を、元のデータ形式から印刷用の当該画像データ形式に変換して前記合成装置に出力する。
【００２０】
本発明の第４の態様は、印刷用の印刷データを生成する印刷システムに備えられた合成装置を含む。この合成装置は、変換装置が元のデータ形式から印刷用の画像データ形式にデータ形式を変換した印刷データへ記入する記入情報を前記変換装置から受信し、受信した当該記入情報を前記印刷データにおいて予め設定された画像データと合成することにより、画像データ形式の印刷用の印刷データを生成する。
【００２１】
本発明の第５の態様は、印刷用の印刷データを生成する印刷システムの印刷方法を含む。この印刷方法は、以下のステップ（ａ）及び（ｂ）を備える。
（ａ）変換装置が、印刷データへ記入する記入情報のデータ形式を、元のデータ形式から印刷用の画像データ形式に変換すること、及び
（ｂ）合成装置が、前記変換装置がデータ形式を変換した前記記入情報を、前記印刷データにおいて予め設定された画像データと合成することにより、画像データ形式の印刷データを生成すること。
【００２２】
本発明の第６の態様は、印刷データを印刷する印刷システムの印刷方法を含む。この印刷方法は、以下のステップ（ａ）、（ｂ）及び（ｃ）を備える。
（ａ）携帯端末が、ユーザの操作に応じて印刷データへ記入する記入情報の内容を決定すること、
（ｂ）合成装置が、前記記入情報のデータ形式を元のデータ形式から印刷用の画像データ形式に変換し、データ形式を変換した前記記入情報を、前記印刷データにおいて予め設定された画像データと合成することにより、画像データ形式の印刷データを生成すること、及び
（ｃ）印刷装置が、前記合成装置が生成した前記印刷データを印刷すること。
【発明の効果】
【００２３】
本発明により、簡易な構成で印刷処理を高速に実行できる印刷システム、変換装置、合成装置及び印刷方法を提供することができる。
【図面の簡単な説明】
【００２４】
【図１】実施の形態１にかかる印刷システムの例を示した全体構成図である。
【図２】実施の形態１にかかる印刷用データ生成処理の一例を示したフローチャートである。
【図３】実施の形態１にかかる印刷システムの他の例を示した全体構成図である。
【図４】実施の形態２にかかる印刷システムの例を示した全体構成図である。
【図５】実施の形態２にかかる複合機の構成の一例を示した全体図である。
【図６】実施の形態２にかかる印刷システムの印刷処理の一例を示したフローチャートである。
【図７】実施の形態２にかかる複合機に格納されている発送伝票の帳票フォーマットの具体例を示す図である。
【図８Ａ】実施の形態２にかかる印刷アプリが生成した生成情報の一例を示す図である。
【図８Ｂ】実施の形態２にかかる印刷アプリが生成したラスタライズ情報の一例を示す。
【図９Ａ】実施の形態２にかかる合成処理に用いる帳票フォーマットの一例を示した図である。
【図９Ｂ】実施の形態２にかかる合成処理を行った画像データの一例を示した図である。
【図１０】実施の形態３にかかる印刷システムの例を示した全体構成図である。
【図１１Ａ】実施の形態３にかかる印刷システムの印刷処理の一例を示した第１のフローチャートである。
【図１１Ｂ】実施の形態３にかかる印刷システムの印刷処理の一例を示した第２のフローチャートである。
【発明を実施するための形態】
【００２５】
実施の形態１
以下、図面を参照して本発明の実施の形態について説明する。図１は、実施の形態１にかかる印刷システムの例を示した全体構成図である。以下、図１を用いて、スマートデバイスの操作に基づいて複合機に印刷を実行させる処理を説明する。
【００２６】
図１の印刷システム１は、変換装置２、合成装置３を備える。この印刷システム１は、各種の印刷用の印刷データを生成することができる。
【００２７】
変換装置２は、印刷データへ記入する記入情報のデータ形式を、元のデータ形式から印刷用の画像データ形式に変換する。変換装置２は、変換後の記入情報を、ネットワーク４を介して合成装置３に出力（送信）する。変換装置２は、実施の形態１では携帯電話（例えばスマートフォン）やタブレット端末等のスマートデバイスを含む携帯端末であるが、ＰＣ（Personal Computer）や印刷装置に接続されたサーバ等のコンピュータであってもよい。なお記入情報の内容は、予め変換装置２で設定されたものでもよいし、ユーザが変換装置２の入力装置を介して入力することにより設定したものでもよい。
【００２８】
合成装置３は、変換装置２がデータ形式を変換した記入情報を受信し、その記入情報を印刷データにおいて予め設定された画像データと合成することにより、画像データ形式の印刷用の印刷データを生成する。ここで合成装置３は、生成した印刷データを印刷する印刷装置であってもよい。あるいは、生成した印刷データを印刷する印刷装置は合成装置３とは別の装置として、印刷システム１に備えられていてもよい。
【００２９】
ネットワーク４は、変換装置２と合成装置３とを接続する有線又は無線のネットワークである。ネットワーク４上（変換装置２と合成装置３）との間には、変換装置２と合成装置３間の通信を実行するためのルータやサーバ等が設けられていてもよい。
【００３０】
図２は、印刷システム１の印刷用データ生成処理の一例を示したフローチャートである。以下、図２を用いて、変換装置２及び合成装置３が連携して行う印刷用データ生成処理の一例について説明する。
【００３１】
まず、変換装置２は、印刷データへ記入する記入情報のデータ形式を、元のデータ形式から印刷用の画像データ形式に変換する（ステップＳ１）。変換装置２は、そのデータ形式を変換した記入情報を、ネットワーク４を介して合成装置３に出力（送信）する。
【００３２】
合成装置３は、ネットワーク４を介して変換装置２から記入情報を受信する。合成装置３は、受信した記入情報を、印刷データにおいて予め設定された画像データと合成することにより、画像データ形式の印刷用の印刷データを生成する（ステップＳ２）。
【００３３】
以上の構成により、変換装置２は、印刷データにおけるデータ形式の変換を、印刷データの全てではなく一部の記入情報について行えばよい。さらに、合成装置３は、データ形式の変換処理をすることなく、画像データ同士の合成を行うことにより、画像データ形式の印刷用のデータを生成することができる。従って、変換装置２及び合成装置３の構成を簡易にすることができる。さらに変換処理にかかる時間が少なくて済むため、印刷システム１は、印刷処理を高速に実行することもできる。
【００３４】
なお、変換装置２が携帯端末であり、変換装置は、ユーザの操作に応じて記入情報の内容を決定するようにしてもよい。上述の通り、携帯端末は、ＰＣ等のコンピュータに比較して印刷の処理に必要な時間が長くかかってしまうことが問題であった。しかしながら、実施の形態１にかかる変換装置２では、印刷データの一部についてのみ変換処理を実行すればよいため、印刷の処理に時間が長くかかってしまうことを抑制することができる。
【００３５】
なお、合成装置３は、生成した印刷データを印刷する印刷装置であってもよい。これにより、印刷装置の構成を簡易なものにすることができる。
【００３６】
＜変形例１＞
図３は、実施の形態１にかかる印刷システムの他の構成例を示した全体構成図である。図１の印刷システム１は、携帯端末５、サーバ６、印刷装置７、ネットワーク８を備える。携帯端末５、サーバ６、印刷装置７は、有線又は無線のネットワーク８により接続されている。
【００３７】
携帯端末５は、携帯電話（例えばスマートフォン）やタブレット端末等のスマートデバイスを含む携帯端末である。携帯端末５は、印刷データへ記入する記入情報のデータ形式を、元のデータ形式から印刷用の画像データ形式に変換する。携帯端末５は、変換後の記入情報を、ネットワーク４を介して合成装置３に出力（送信）する。
【００３８】
サーバ６は、携帯端末５がデータ形式を変換した記入情報を受信する。サーバ６は、受信した記入情報を、印刷データにおいて予め設定された画像データと合成することにより、画像データ形式の印刷用の印刷データを生成する。サーバ６は、生成した印刷データを、ネットワーク４を介して印刷装置７に出力（送信）する。
【００３９】
印刷装置７は、サーバ６から受信した印刷データを印刷する。このような構成であっても、印刷システム１は、上述と同様に、簡易な構成で印刷処理を高速に実行することができる。
【００４０】
なお、この変形例１において、携帯端末５は、ＰＣや専用端末といった他の種類のコンピュータであってもよい。サーバ６も、画像データの合成処理を実行するものであれば、他の種類のコンピュータであってもよい。
【００４１】
＜変形例２＞
変形例１において、携帯端末５ではなくサーバ６が、記入情報のデータ形式を、元のデータ形式から印刷用の画像データ形式に変換してもよい。携帯端末５は、ユーザの操作に応じて印刷データへ記入する記入情報の内容を決定し、その記入情報をネットワーク８を介してサーバ６に出力（送信）する。
【００４２】
サーバ６は、携帯端末５から受信した記入情報のデータ形式を元のデータ形式から印刷用の画像データ形式に変換する。サーバ６はさらに、データ形式を変換した記入情報を、印刷データにおいて予め設定された画像データと合成することにより、印刷装置に印刷させる画像データ形式の印刷データを生成する。サーバ６は、生成した印刷データを印刷装置７に出力（送信）する。
【００４３】
印刷装置７は、サーバ６から受信した印刷データを印刷する。このような構成であっても、印刷システム１は、上述と同様に、簡易な構成で印刷処理を高速に実行することができる。特に、携帯端末５でデータ形式の変換処理を実行しなくてすむことが、印刷処理の高速化に寄与する。また、印刷装置７は合成処理を実行する必要もないので、印刷装置７の構成も簡易なものにすることができる。
【００４４】
なお、この変形例２において、サーバ６は、画像データの合成処理を実行するものであれば、他の種類のコンピュータであってもよい。
【００４５】
＜変形例３＞
変形例１において、携帯端末５ではなくサーバ６が、記入情報のデータ形式を、元のデータ形式から印刷用の画像データ形式に変換してもよい。さらに、印刷装置７が、画像データの合成処理を実行してもよい。
【００４６】
以下、詳細について説明する。携帯端末５は、ユーザの操作に応じて印刷データへ記入する記入情報の内容を決定し、その記入情報をネットワーク８を介してサーバ６に出力（送信）する。
【００４７】
サーバ６は、携帯端末５から受信した記入情報のデータ形式を元のデータ形式から印刷用の画像データ形式に変換する。サーバ６は、変換後の記入情報を、ネットワーク８を介して印刷装置７に出力（送信）する。
【００４８】
印刷装置７は、サーバ６から受信したデータ形式変換後の記入情報を、印刷データにおいて予め設定された画像データと合成することにより、画像データ形式の印刷データを生成する。印刷装置７は、その生成した印刷データを印刷する。このような構成であっても、印刷システム１は、上述と同様に、簡易な構成で印刷処理を高速に実行することができる。特に、携帯端末５でデータ形式の変換処理を実行しなくてすむことが、印刷処理の高速化に寄与する。
【００４９】
なお、この変形例３において、サーバ６は、記入情報の変換処理を実行するものであれば、他の種類のコンピュータであってもよい。
【００５０】
実施の形態２
以下、図面を参照して本発明の実施の形態２について説明する。図４は、実施の形態２にかかる印刷システムの例を示した全体構成図である。以下、図４を用いて、スマートデバイスの操作に基づいて複合機に印刷を実行させる処理を説明する。
【００５１】
図４の印刷システム１０は、ハード的な構成として、スマートデバイス１１（変換装置）、複合機１２（合成装置）、ネットワーク１３、無線ＬＡＮ（Local Area Network）アクセスポイント１４を備える。この印刷システム１０は、郵便や宅配便などを発送するための発送伝票（帳票）を作成するが、他の印刷物の印刷に適用することも可能である。
【００５２】
スマートデバイス１１は、上述に示した通り、携帯電話やタブレット端末等である。スマートデバイス１１は、ユーザの操作に応じて、情報処理を行い、適宜複合機１２に情報を送信する。ここでスマートデバイス１１と複合機１２とは、同じネットワーク１３（ここでは有線のＥｔｈｅｒｎｅｔ（登録商標））に接続している必要がある。なお、スマートデバイス１１は無線ＬＡＮアクセスポイント１４を介して、無線ＬＡＮ１５により、ネットワーク１３に接続している。
【００５３】
スマートデバイス１１は、印刷指示を行なうための印刷アプリ１６と、帳票に記入するデータを有する（記入情報の候補となる候補情報を有する）データベース１７を有する。印刷アプリ１６はソフトウェアとしてスマートデバイス１１内部のメモリに格納されており、データベース１７は、スマートデバイス１１内部のメモリにより構成されている。また、スマートデバイス１１は、複合機１２に格納された帳票フォーマット１８の種類を内部のメモリに記憶している。
【００５４】
印刷アプリ１６は、複合機１２による印刷が実行される前に、予めスマートデバイス１１にインストールされているアプリである。印刷アプリ１６は、印刷したい帳票フォーマット１８を選択し、帳票に記載する内容（記入情報）を入力するか、予め住所などを登録しておいたデータベース１７から選択することにより、複合機１２に帳票を作成させるアプリである。なお、帳票作成において入力又は選択される内容の情報は、印刷アプリ１６で保持されていても（即ち、印刷アプリ１６が格納されたメモリの記憶領域と同じ領域に保持されていても）よいし、印刷アプリ１６がデータベース１７から読み取ることにより取得してもよい。
【００５５】
複合機１２は、上述に示した通り、プリンタ、ファクシミリ（ＦＡＸ）、コピー機などの印刷機や、それらの機能を有する複合機のことをいう。複合機１２は、無線ＬＡＮアクセスポイント１４と、有線ＬＡＮであるネットワーク１３で接続されている。しかし、複合機１２は、スマートデバイス１１と同様に、無線ＬＡＮアクセスポイント１４と無線ＬＡＮで接続されていてもよい。複合機１２のハードウェア構成については、以下で説明する。
【００５６】
また、複合機１２は帳票フォーマット１８の画像データ（印刷データにおいて予め設定された画像データ）を内部のメモリに任意の数だけ有する。帳票フォーマット１８の詳細については、以降で説明する。
【００５７】
無線ＬＡＮアクセスポイント１４は、スマートデバイス１１とネットワーク１３とを無線ＬＡＮ１５により接続している。つまり、スマートデバイス１１と複合機１２とは、無線ＬＡＮ１５、ネットワーク１３を介して接続されている。
【００５８】
図５は、複合機１２の構成の一例を示した全体図である。以下、複合機１２のハードウェア構成について図５を用いて説明する。なお、図５では、複合機１２は、プリント機能だけでなく、コピーやスキャン機能を有する構成としている。
【００５９】
複合機１２は、コントローラ１２０、操作パネル部１２６、プリンタ部１２７、スキャナ部１２８を備える。コントローラ１２０は、複合機１２の処理の制御を実行する制御部であり、ＣＰＵ（Central Processing Unit）１２１、ＲＯＭ（Read Only Memory）１２２、ＲＡＭ（Random Access Memory）１２３、画像処理部１２４、ネットワークインタフェース部１２５を備える。
【００６０】
ＣＰＵ１２１は、複合機１２の処理に際して各種演算を行なう。ＲＯＭ１２２及びＲＡＭ１２３は、複合機１２の処理に必要なデータを記憶する。ここでは、ＲＯＭ１２２に、図４で示した帳票フォーマット１８が格納されている。
【００６１】
画像処理部１２４は、複合機１２が受信したデータ又はスキャンしたデータを、印刷用のデータに変換する。ネットワークインタフェース部１２５は、複合機１２がネットワーク１３に接続するための処理を実行する。画像処理部１２４、ネットワークインタフェース部１２５は、上述に示した処理を行う機能ブロックであり、ハードウェア的には、メモリやその他のＩＣ（Integrated Circuit）等の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００６２】
操作パネル部１２６は、ユーザが複合機１２に対して情報を入力して操作を行なうためのパネルであり、例えばタッチパネルから構成されている。プリンタ部１２７は、複合機１２が印刷を行うところであり、例えばレーザプリンタやインクジェットプリンタから構成される。スキャナ部１２８は、ユーザがスキャンを行なうところであり、例えばイメージスキャナにより構成されている。
【００６３】
図６は、印刷システム１０の印刷処理の一例を示したフローチャートである。以下、図６を用いて、スマートデバイス１１及び複合機１２が連携して行う印刷処理の一例について説明する。なお図６では、印刷処理全体の処理フローの他、スマートデバイス１１及び複合機１２のそれぞれの処理分担が示されている。
【００６４】
まず、スマートデバイス１１の処理について説明する。スマートデバイス１１の印刷アプリ１６は、ユーザの操作に応じて、帳票フォーマット１８の種類を選択する（ステップＳ１１）。
【００６５】
次に、印刷アプリ１６は、ユーザの操作に応じて、選択した帳票フォーマット１８に記載する内容を選択する（ステップＳ１２）。例えばスマートデバイス１１は、内部のデータベース１７にアクセスすることにより、帳票に記載する住所を選択する。また、印刷アプリ１６は、ユーザの操作に応じて、帳票に記載する内容を入力してもよい。
【００６６】
次に印刷アプリ１６は、帳票フォーマット１８に記載する必要のある項目をユーザが全て記載したか（埋めたか）否かを判定する（ステップＳ１３）。この判定は、例えば帳票に記載するデータをラスタライズする処理を実行するようにユーザが印刷アプリ１６に指示したときに、印刷アプリ１６が実行してもよい。あるいは、印刷アプリ１６が所定の時間毎にこの判定を実行してもよい。
【００６７】
帳票フォーマット１８に記載する必要のある項目をユーザが全て記載していない場合には（ステップＳ１３のＮｏ）、印刷アプリ１６は帳票フォーマット１８に記載する内容を選択するステップＳ１２に戻り、処理を続ける。これにより、印刷アプリ１６は、帳票フォーマット１８で記載する項目全てについて、ユーザに対し繰り返し選択を実行させる。
【００６８】
帳票フォーマット１８に記載する必要のある項目が全て記載された場合に（ステップＳ１３のＹｅｓ）、印刷アプリ１６は、帳票フォーマット１８に記載する内容を文字データから画像データに変換（ラスタライズ）する（ステップＳ１４）。つまり印刷アプリ１６は、印刷データに記入する記入情報のデータ形式を、元のデータ形式（文字そのものを示すデータの形式）から画像データ形式（画像そのものを示すデータの形式）に変換する。
【００６９】
データのラスタライズが完了したら、印刷アプリ１６は、ラスタライズ後の画像データを複合機１２に送信する（ステップＳ１５）。印刷アプリ１６は、スマートデバイス１１の通信機能を使用し、無線ＬＡＮ１５、ネットワーク１３を介して複合機１２にデータを送信する。ここで印刷アプリ１６は、ステップＳ１１で選択した帳票フォーマット１８の種類についての情報も、複合機１２に送信する。
【００７０】
複合機１２は、ネットワークインタフェース部１２５により、印刷アプリ１６から送信された画像データを受信し、受信したデータをＲＡＭ１２３に格納する。ＣＰＵ１２１は、印刷アプリ１６が選択した帳票フォーマット１８をＲＯＭ１２２から取り出し、受信した画像データと、印刷アプリ１６が選択した帳票フォーマット１８とを合成して、帳票データを作成する（ステップＳ１６）。ここでＣＰＵ１２１は、印刷アプリ１６が出力した帳票フォーマット１８の種類についての情報に基づいて、合成する帳票フォーマット１８を選択する。ＣＰＵ１２１は、画像処理部１２４に対し、作成された帳票データへの印刷のための画像処理を実行させる。
【００７１】
最後にＣＰＵ１２１は、プリンタ部１２７に対し、生成した帳票データを印刷させる（ステップＳ１７）。
【００７２】
次に、図６のフローチャートの各手順で取り扱うデータの詳細について説明する。
【００７３】
図７は、複合機１２に格納されている発送伝票の帳票フォーマット１８の具体例を示す図である。図７で例示している帳票フォーマット１８には、記載する必要がある事項として、伝票番号Ａ１、発送元住所Ａ２、発送元氏名Ａ３、発送元電話番号Ａ４、送り先住所Ａ５、送り先氏名Ａ６、送り先電話番号Ａ７、発送日Ａ８、配達指定Ａ９、記事欄Ａ１０が設定されている。前述したように、複合機１２はこの帳票フォーマット１８の画像データを用途に応じていくつか有する。
【００７４】
ステップＳ１１で、印刷アプリ１６は、ユーザが印刷を希望する帳票フォーマット１８を選択する。ここで印刷アプリ１６は、図７に示した発送伝票を選択する。
【００７５】
ステップＳ１２で、印刷アプリ１６は、帳票の各項目である伝票番号Ａ１〜記事欄Ａ１０に記載する文字情報を、予め登録されたデータベース１７から選択する。ここで文字情報はテキストデータである。また、記載する文字情報はデータベース１７から選択するのではなく、ユーザがスマートデバイス１１から直接入力してもよい。印刷アプリ１６は、伝票番号Ａ１〜記事欄Ａ１０のうち一部の事項をデータベース１７から選択し、他の事項はユーザがスマートデバイス１１から直接入力するようにして記載するようにしてもよい。
【００７６】
図８Ａ及び図８Ｂは、図７の帳票フォーマット１８の各項目に対して選択された文字情報の一例を示す図である。図８Ａは、印刷アプリ１６が生成した生成情報の一例を示す。印刷アプリ１６が生成した生成情報Ｂには、印刷アプリ１６が選択した文字情報Ｂ０と、帳票フォーマット１８を指定する指定情報Ｂ１１とが含まれている。文字情報Ｂ０は、図７に示した帳票フォーマット１８における伝票番号Ａ１〜記事欄Ａ１０のそれぞれの項目情報により構成されており、図６のステップＳ１２において印刷アプリ１６が選択する。文字情報Ｂ０は、伝票番号情報Ｂ１（種別情報）、発送元住所情報Ｂ２、発送元氏名情報Ｂ３、発送元電話番号情報Ｂ４、送り先住所情報Ｂ５、送り先氏名情報Ｂ６、送り先電話番号情報Ｂ７、発送日情報Ｂ８、配達指定情報Ｂ９、記事欄情報Ｂ１０の種類がある。指定情報Ｂ１１は、図６のステップＳ１１において印刷アプリ１６が選択する帳票フォーマット１８の種類であり、ここでは「発送伝票」が指定されている。
【００７７】
なお、図８Ａにおいて、伝票番号情報Ｂ１は「ＸＸＸＸ−ＸＸＸＸ−ＸＸＸＸＸＸＸＸＸＸ」、発送元住所情報Ｂ２は「〒ｘｘｘ−ｘｘｘｘ  ＡＡ県ＢＢ市ＣＣＸ丁目ＸＸ  ＡＢＣ株式会社」、発送元氏名情報Ｂ３は「Ａ山Ｂ男」、発送元電話番号情報Ｂ４は「ＸＸ−ＸＸＸ−ＸＸＸ」、送り先住所情報Ｂ５は「〒ｘｘｘ−ｘｘｘｘ  ＤＤ県ＥＥ市ＦＦＸ丁目ＸＸ  ＤＥＦ株式会社」、送り先氏名情報Ｂ６は「Ｄ田Ｆ太郎」、送り先電話番号情報Ｂ７は「ＸＸ−ＸＸＸ−ＸＸＸ」、発送日情報Ｂ８は「Ｘ月Ｘ日」、配達指定情報Ｂ９は「Ｘ月Ｘ日  ＸＸ時」、記事欄情報Ｂ１０は「書類」である。
【００７８】
印刷アプリ１６は、図６のステップＳ１４において、この生成情報Ｂのうちの文字情報Ｂ０を画像情報に変換（ラスタライズ）することにより、ラスタライズした文字情報（画像データ形式化された情報）であるラスタライズ情報Ｃ０を生成する。図８Ｂは、印刷アプリ１６が生成したラスタライズ情報の一例を示す。ラスタライズ情報Ｃ０は、文字情報Ｂ０の伝票番号情報Ｂ１〜記事欄情報Ｂ１０をラスタライズした項目情報により構成されている。ラスタライズ情報Ｃ０は、伝票番号情報Ｃ１、発送元住所情報Ｃ２、発送元氏名情報Ｃ３、発送元電話番号情報Ｃ４、送り先住所情報Ｃ５、送り先氏名情報Ｃ６、送り先電話番号情報Ｃ７、発送日情報Ｃ８、配達指定情報Ｃ９、記事欄情報Ｃ１０の種類がある。これは、それぞれ伝票番号情報Ｂ１、発送元住所情報Ｂ２、発送元氏名情報Ｂ３、発送元電話番号情報Ｂ４、送り先住所情報Ｂ５、送り先氏名情報Ｂ６、送り先電話番号情報Ｂ７、発送日情報Ｂ８、配達指定情報Ｂ９、記事欄情報Ｂ１０がラスタライズされたものである。
【００７９】
例えば印刷アプリ１６がＡｎｄｒｏｉｄのアプリケーションである場合、印刷アプリ１６は、文字情報Ｂ０の文字列を、描画用の関数（例えばＣａｎｖａｓ（登録商標）クラスのｄｒａｗＴｅｘｔメソッド）を使用することにより、画像形式でスマートデバイス１１のメモリ上に展開できる。次に、印刷アプリ１６がメモリ上の画像データをＪＰＥＧ（Joint Photographic Experts Group）画像形式で保存することにより、ラスタライズ情報Ｃ０を得ることができる。このようにして、印刷アプリ１６がラスタライズを実現することができる。
【００８０】
なお、この例では印刷アプリ１６が文字列描画用の関数を使用してＪＰＥＧ画像形式で文字情報Ｂ０を保存しているが、文字列の画像化の手段や保存する画像形式はこれに限定されない。例えば、印刷アプリ１６は、文字列描画にフォントの展開を行なう専用のソフトウェア（フォントドライバ）を使用してもよい。また、印刷アプリ１６は、ＪＰＥＧ画像形式で画像を保存するのではなく、ＲＧＢ形式のＢＭＰ（Bitmap image）で画像を保存してもよい。または、印刷アプリ１６は、ＣＭＹＫに色変換して４面に別々の画像とするカラー印刷に適した独自形式で画像を保存してもよい。ただし、複合機１２に保存してある帳票フォーマット１８と合成するため、印刷アプリ１６は、帳票フォーマット１８と同じ画像形式、もしくは同じ画像形式に変換できる形式で画像データを保存する必要がある。印刷アプリ１６は、以上に示した他の方法によっても、ラスタライズを実現することができる。
【００８１】
なお、指定情報Ｂ１１について、印刷アプリ１６はラスタライズを実行せず、そのままテキストデータとしてスマートデバイス１１のメモリ内に保存してよい。指定情報Ｂ１１は、実際に印刷する帳票には記載せず、複合機１２に対して帳票フォーマットを指定できればよいデータであるためである。また、指定情報Ｂ１１は、文字データでなくてもよい。例えば、スマートデバイス１１及び複合機１２にて、帳票毎に同じ番号を振ることにより帳票の別を識別している場合、指定情報Ｂ１１は、帳票を指定するためのその番号であってもよい。
【００８２】
次に、印刷アプリ１６は、図６のステップＳ１５において、指定情報Ｂ１１及びラスタライズ情報Ｃ０を複合機１２に送信する。ここで、印刷アプリ１６は、ラスタライズ情報Ｃ０のそれぞれの項目情報を、帳票フォーマット１８の各項目と関連付けした上で送信している。具体的には、印刷アプリ１６は、伝票番号情報Ｃ１、発送元住所情報Ｃ２、発送元氏名情報Ｃ３、発送元電話番号情報Ｃ４、送り先住所情報Ｃ５、送り先氏名情報Ｃ６、送り先電話番号情報Ｃ７、発送日情報Ｃ８、配達指定情報Ｃ９、記事欄情報Ｃ１０を、それぞれ伝票番号Ａ１、発送元住所Ａ２、発送元氏名Ａ３、発送元電話番号Ａ４、送り先住所Ａ５、送り先氏名Ａ６、送り先電話番号Ａ７、発送日Ａ８、配達指定Ａ９、記事欄Ａ１０と関連付けした旨を示す情報を送信する。
【００８３】
なお、印刷アプリ１６は、項目情報と帳票フォーマット１８の項目名との関連付けを行なわなくともよい。印刷アプリ１６は、各項目情報に関連付けられる情報として、複合機１２で各項目情報と合成される帳票フォーマット１８において、各項目情報が合成される帳票フォーマット１８の画像上の座標を指定してもよい。このようにして、印刷アプリ１６は、各項目情報が帳票フォーマット１８のどの箇所に記入されるか（合成されるか）を指定する指定情報を、複合機１２に出力する。
【００８４】
また、印刷アプリ１６は、画像データを送信するためにＺＩＰやＬＺＨといった圧縮形式で圧縮を行なった上で、その圧縮ファイルを複合機１２に出力してもよい。
【００８５】
図９Ａ及び図９Ｂは、複合機１２におけるデータの合成処理の一例を示した図である。複合機１２のネットワークインタフェース部１２５は、印刷アプリ１６から指定情報Ｂ１１及びラスタライズ情報Ｃ０を受信する。ＣＰＵ１２１は、ＲＯＭ１２２で保持していた帳票フォーマット１８の中から、指定情報Ｂ１１で指定された（特定される）帳票フォーマットＤ０を、ＲＡＭ１２３上に展開する。図９Ａは、合成処理に用いる帳票フォーマットＤ０の一例を示した図である。さらにＣＰＵ１２１は、ラスタライズ情報Ｃ０をＲＡＭ１２３上に展開する。なお、ここでは、印刷アプリ１６は、帳票フォーマットＤ０を、ＲＡＭ１２３上にＲＧＢ形式の画像データとして展開する。
【００８６】
ＣＰＵ１２１は、図６のステップＳ１６において、ラスタライズ情報Ｃ０を合成できる形式に変換する。ここではラスタライズ情報Ｃ０の画像形式はＪＰＥＧであるので、ＣＰＵ１２１は、ＪＰＥＧを展開し、ラスタライズ情報Ｃ０を合成可能な非圧縮のＲＧＢ画像形式に変換する。
【００８７】
ＣＰＵ１２１は、展開して合成可能になったラスタライズ情報Ｃ０を、付加されている関連付けの情報に基づいて、ＲＡＭ１２３上の帳票フォーマットＤ０に合成する。例えば、伝票番号情報Ｃ１〜記事欄情報Ｃ１０の各項目情報が伝票番号Ａ１〜記事欄Ａ１０と関連付けされている場合には、ＣＰＵ１２１は、各項目情報を、関連付けされている帳票フォーマットＤ０の箇所に合成する。あるいは、各項目情報について、合成される帳票フォーマット１８の画像上の座標が関連付けされている場合には、ＣＰＵ１２１は、各項目情報を、関連付けされている帳票フォーマットＤ０の座標に挿入するようにして合成する。つまり、ＣＰＵ１２１は、印刷アプリ１６が生成した指定情報が指定する画像データの箇所に各項目情報を合成する。
【００８８】
このようにして、ＣＰＵ１２１は、データの合成処理を実行し、合成した帳票の画像データＤ１を得る。図９Ｂは、合成処理を行った画像データＤ１の一例を示した図である。画像処理部１２４は、作成した画像データＤ１に、印刷するための画像処理を施す。ここでは画像データＤ１はＲＧＢの画像形式を有しているので、印刷のため画像処理部１２４は画像データＤ１の画像形式をＣＭＹＫ形式に変換する色変換をして、スクリーン処理を行なう。
【００８９】
ＣＰＵ１２１は、図６のステップＳ１７において、このようにスクリーン処理がなされた印刷用の画像データをＲＡＭ１２３からプリンタ部１２７に送信する。プリンタ部１２７は、画像データの印刷を行なう。
【００９０】
以上の印刷システム１０の構成により、ユーザはスマートデバイス１１から帳票の印刷を高速に行なうことができる。さらに、印刷システム１０を簡易な構成にすることができる。
【００９１】
特許文献１では、ホスト装置が処理能力の低い（例えばＣＰＵの性能が低い、メモリが少ない、ＯＳ（例えばＡｎｄｒｏｉｄ）に標準的なラスタライズ対応機能がない、など）スマートデバイスである場合に、印刷処理に時間がかかってしまうという課題があった。特許文献２、３では、プリンタでラスタライズを行うためプリンタの構成が複雑になり、プリンタの値段が高額になってしまう。また、プリンタの処理の負荷も大きくなってしまうため、印刷処理にかかる時間が多くなってしまっていた。
【００９２】
これに対し、実施の形態２にかかる印刷システム１０では、帳票など印刷において決まったフォーマットがある場合に、複合機側に帳票フォーマットの画像データを保持させ、帳票に記載するテキストデータはスマートデバイス側でラスタライズを実行している。そして、プリンタは、帳票フォーマットとラスタライズしたテキストデータとを合成することにより印刷データを生成している。このように、フォーマットを用いることによりプリンタの処理負担が削減されるので、プリンタ内のデバイス（特にＣＰＵ）が安価なものを選択できる。つまり、複合機を安価な構成にすることができる。
【００９３】
また、あらかじめラスタライズが必要な個所が分かっている場合に、スマートデバイスで実行するラスタライズは印刷データ全体ではなく選択的に行うようにしている。そのため、スマートデバイスで画像データを全てラスタライズした場合に比べると、ラスタライズする領域が小さくて済むために、高速な印刷処理が実現できる。例えば、印刷データのうちで文字領域が占めるデータ量が印刷データ全体の５分の１だとすると、スマートデバイス側でかかる変換処理の時間を５分の１にすることができる。これにより印刷システム１０は、印刷能力の低いスマートデバイスから印刷を行った場合でも、画質を劣化させることなく高速な印刷を実現することができる。
【００９４】
実施の形態２において、文字情報の元のデータ形式は文字データ形式であり、スマートデバイス１１は文字データ形式の文字情報を印刷用の画像データ形式に変換するラスタライズを行うことができる。これにより、複合機にテキストデータ変換のためのフォント情報を保持させる必要がなくなり、フォントのライセンスコストの削減を図ることができる。そのため、複合機を安価な構成にすることができる。
【００９５】
さらにスマートデバイス１１は、複合機１２において合成する画像データの種別を特定する種別情報を複合機１２に送信し、複合機１２は、スマートデバイス１１が送信した種別情報により特定される画像データと記入情報との合成を行うことができる。そのため、ユーザはスマートデバイス１１から、所望の印刷データの印刷を実行することができる。
【００９６】
スマートデバイス１１は、データ形式を変換した記入情報を、印刷データのどの箇所に記入情報が記入されるかを指定する指定情報とともに複合機１２に送信する。複合機１２は、指定情報が指定した画像データの箇所に記入情報を合成することができる。そのため、印刷システム１０は簡易な構成で、記入情報を合成すべき箇所に合成することができる。
【００９７】
スマートデバイス１１は、記入情報のデータ形式を、画像データの画像データ形式と同じ画像データ形式又はその画像データ形式に変換可能な画像データ形式に変換する。これにより、複合機１２では、画像データの生成に必要な処理を省くことができるため、印刷処理を高速化することができる。
【００９８】
なお、実施の形態２では、帳票の各項目である伝票番号Ａ１〜記事欄Ａ１０の全ての項目について記載されていなくてもよい。例えば、記事欄Ａ１０について記載していなくても、上述と同様の変換処理及び合成処理が印刷システム１０で実行されることにより、帳票を印刷することができる。
【００９９】
実施の形態３
以下、図面を参照して本発明の実施の形態３について説明する。図１０は、実施の形態３にかかる印刷システムの例を示した全体構成図である。以下、図１０を用いて、スマートデバイスの操作に基づいて複合機に印刷を実行させる処理を説明する。なお、実施の形態２で説明した点については、適宜説明を省略する。
【０１００】
印刷システム２０は、ハード的な構成として、スマートデバイス２１、複合機２２、ネットワーク２３、無線ＬＡＮアクセスポイント２４のほかに、サーバ２９（合成装置）をさらに備える。実施の形態３において、印刷システム２０は、郵便や宅配便などを発送するための発送伝票（帳票）を作成する。
【０１０１】
スマートデバイス２１の具体例及びその接続環境については実施の形態２に上述した通りである。なお、実施の形態２と異なり、スマートデバイス２１は、印刷指示を行なうための印刷アプリや帳票に記入するデータを有するデータベースを備えていない。
【０１０２】
複合機２２の具体例、構成例及びその接続環境についても実施の形態２に上述した通りである。なお、実施の形態２と異なり、複合機２２は帳票フォーマットの画像データを内部に有していない。無線ＬＡＮアクセスポイント２４及び無線ＬＡＮ７０４についての説明は実施の形態２と同様である。
【０１０３】
サーバ２９は、スマートデバイス２１と複合機２２の間に設けられているサーバである。印刷システム２０がこのサーバ２９を備えている点が、図４における印刷システム１０と比較すると異なる点である。サーバ２９は、印刷を行なうための印刷Ｗｅｂページ２６と、帳票に記入するデータを有するデータベース２７と、帳票フォーマット２８を有する。
【０１０４】
印刷Ｗｅｂページ２６は、スマートデバイス２１からアクセスがあったときに、印刷用のインタフェースとしてサーバ２９がスマートデバイス２１に表示するＷｅｂページである。ここで印刷Ｗｅｂページ２６は、ＨＴＭＬ（HyperText Markup Language）で記述されている。サーバ２９は、図４に示したスマートデバイスの印刷アプリの代わりに、自身の有する印刷Ｗｅｂページ２６から複合機２２に対して印刷指示を行なう。さらに、サーバ２９は、データベース２７を有することにより、帳票データを管理する。
【０１０５】
スマートデバイス２１と複合機２２とサーバ２９は、同じネットワーク２３に接続している。これにより、スマートデバイス２１はサーバ２９と通信を実行できるほか、サーバ２９は複合機２２と通信を実行できる。
【０１０６】
図１１Ａ及び図１１Ｂは、印刷システム２０の印刷処理の一例を示したフローチャートである。以下、図１１Ａ及び図１１Ｂを用いて、スマートデバイス２１、複合機２２及びサーバ２９が連携して行う印刷処理の一例について説明する。なお図１１Ａ及び図１１Ｂでは、印刷処理全体の処理フローの他、スマートデバイス２１、複合機２２及びサーバ２９のそれぞれの処理分担が示されている。
【０１０７】
まず、スマートデバイス２１の処理について説明する。スマートデバイス２１は、ユーザの操作に応じてブラウザからサーバ２９の印刷Ｗｅｂページ２６にアクセスする（ステップＳ２１）。
【０１０８】
サーバ２９は、スマートデバイス２１からのアクセスに応じて、スマートデバイス２１に印刷Ｗｅｂページ２６のデータを送信する（ステップＳ２２）。これにより、スマートデバイス２１は、画面上で表示されるブラウザに、印刷Ｗｅｂページ２６を表示する。
【０１０９】
次に、ユーザはスマートデバイス２１を操作して、印刷Ｗｅｂページ２６上で帳票フォーマット２８を選択する（ステップＳ２３）。帳票フォーマットの選択後、ユーザは、印刷Ｗｅｂページ２６上において、帳票に記載する内容を選択する（ステップＳ２４）。例えばスマートデバイス２１は、サーバ２９のデータベース２７にアクセスすることにより、帳票に記載する内容を選択する。また、スマートデバイス２１は、ユーザの操作に応じて、帳票に記載する内容を印刷Ｗｅｂページ２６上で入力してもよい。このように、印刷Ｗｅｂページ２６は、帳票に記載する情報の内容を決定させるための情報を送信する。
【０１１０】
次にスマートデバイス２１は、帳票フォーマット２８に記載する必要のある項目をユーザが全て記載したか（埋めたか）否かを判定する（ステップＳ２５）。この判定は、例えば帳票に記載するデータをラスタライズする処理を実行するようにスマートデバイス２１がサーバ２９に指示したときに、サーバ２９からの通知に応じて、スマートデバイス２１が実行してもよい。あるいは、スマートデバイス２１が所定の時間毎にこの判定を実行してもよい。
【０１１１】
帳票フォーマット２８に記載する必要のある項目をユーザが全て記載していない場合には（ステップＳ２５のＮｏ）、スマートデバイス２１は帳票フォーマット２８に記載する内容を選択するステップＳ２４に戻り、処理を続ける。これにより、スマートデバイス２１は、帳票フォーマット２８で記載する項目全てについて、ユーザに繰り返し選択を実行させる。
【０１１２】
帳票フォーマット２８に記載する必要のある項目が全て記載された場合に（ステップＳ２５のＹｅｓ）、スマートデバイス２１は、印刷Ｗｅｂページ２６上で記入した内容をサーバ２９に送信する（ステップＳ２６）。
【０１１３】
サーバ２９は、帳票フォーマット２８に記載する内容を、文字データから画像データに変換（ラスタライズ）する（ステップＳ２７）。データのラスタライズが完了したら、サーバ２９は、ラスタライズ後の画像データと、ステップＳ２３でユーザが選択した帳票フォーマット２８を合成して、帳票データを作成する（ステップＳ２８）。サーバ２９は、作成した帳票データを複合機２２に送信する（ステップＳ２９）。
【０１１４】
複合機２２は、ネットワークインタフェース部１２５により、サーバ２９から送信された帳票データを受信する。そしてＣＰＵ１２１は、プリンタ部１２７に対し、帳票データを印刷させる（ステップＳ３０）。
【０１１５】
画像データの形式やフォーマットの例などは、実施の形態２と同様であるため、説明を省略する。
【０１１６】
このように、記載する項目の内容（記入情報の候補となる候補情報）が格納されたデータベース２７は、スマートデバイス２１が有していなくてもよく、スマートデバイス２１が接続可能なサーバ２９上にあってもよい。スマートデバイス２１は、そのデータベース２７にアクセスすることにより、帳票作成に必要な文字データを選択（取得）し、記入情報の内容を決定することができる。このため、データベース２７には、帳票作成に必要な文字データを多く格納することができるため、印刷をより便利に実行することができる。
【０１１７】
また、実施の形態３において帳票フォーマット２８は、サーバ２９上に存在している。このため、複合機２２の記憶容量が限られている場合でも、帳票フォーマット２８を多くサーバ２９に格納することができるため、ユーザは様々な態様の印刷を実行することができる。
【０１１８】
サーバ２９は、スマートデバイス２１に、記入情報の内容を決定するためのＷｅｂページの情報を送信する。スマートデバイス２１は、Ｗｅｂページから決定した記入情報の内容をサーバ２９に送信することができる。これにより、ユーザは、記入情報の内容を簡易にサーバ２９に送信することができる。
【０１１９】
本発明は、例えばスマートデバイス（例えばスマートフォン）からプリンタ、ＦＡＸ、複合機などに印刷を指示することにより、印刷を実行させる場合に適用することができる。
【０１２０】
なお、本発明は上記実施の形態に限られたものではなく、趣旨を逸脱しない範囲で適宜変更することが可能である。
【０１２１】
以下、本発明の各種形態を付記する。
（付記１）
印刷用の印刷データを生成する印刷システムであって、
印刷データへ記入する記入情報のデータ形式を、元のデータ形式から印刷用の画像データ形式に変換する変換装置と、
前記変換装置がデータ形式を変換した前記記入情報を、前記印刷データにおいて予め設定された画像データと合成することにより、画像データ形式の印刷用の印刷データを生成する合成装置と、を備える
印刷システム。
（付記２）
前記変換装置は携帯端末であり、当該変換装置は、ユーザの操作に応じて前記記入情報の内容を決定する、
付記１に記載の印刷システム。
（付記３）
前記合成装置は、生成した前記印刷データを印刷する印刷装置である、
付記１又は２に記載の印刷システム。
（付記４）
前記記入情報の元のデータ形式は文字データ形式であり、前記変換装置は文字データ形式の当該記入情報を前記印刷用の画像データ形式に変換するラスタライズを行う、
付記１ないし３のいずれか一項に記載の印刷システム。
（付記５）
前記変換装置は、前記合成装置において合成する前記画像データの種別を特定する種別情報を前記合成装置に送信し、
前記合成装置は、前記変換装置が送信した前記種別情報により特定される前記画像データと前記記入情報との合成を行う、
付記１ないし４のいずれか一項に記載の印刷システム。
（付記６）
印刷用の印刷データを生成する印刷システムに設けられた変換装置であって、
前記印刷データにおいて予め設定された画像データと合成することにより画像データ形式の印刷用の印刷データを生成するために合成装置が用いる、印刷データへ記入する画像データ形式の記入情報を、元のデータ形式から印刷用の当該画像データ形式に変換して前記合成装置に出力する、
変換装置。
（付記７）
印刷用の印刷データを生成する印刷システムに備えられた合成装置であって、
変換装置が元のデータ形式から印刷用の画像データ形式にデータ形式を変換した印刷データへ記入する記入情報を前記変換装置から受信し、受信した当該記入情報を前記印刷データにおいて予め設定された画像データと合成することにより、画像データ形式の印刷用の印刷データを生成する、
合成装置。
（付記８）
印刷データを印刷する印刷システムであって、
ユーザの操作に応じて印刷データへ記入する記入情報の内容を決定する携帯端末と、
前記記入情報のデータ形式を元のデータ形式から印刷用の画像データ形式に変換し、データ形式を変換した前記記入情報を、前記印刷データにおいて予め設定された画像データと合成することにより、印刷装置に印刷させる画像データ形式の印刷データを生成する合成装置と、
前記合成装置が生成した前記印刷データを印刷する印刷装置と、を備える
印刷システム。
（付記９）
印刷用の印刷データを生成する印刷システムの印刷方法であって、
変換装置が、印刷データへ記入する記入情報のデータ形式を、元のデータ形式から印刷用の画像データ形式に変換するステップと、
合成装置が、前記変換装置がデータ形式を変換した前記記入情報を、前記印刷データにおいて予め設定された画像データと合成して画像データ形式の印刷データを生成するステップと、を備える
印刷方法。
（付記１０）
印刷データを印刷する印刷システムの印刷方法であって、
携帯端末が、ユーザの操作に応じて印刷データへ記入する記入情報の内容を決定するステップと、
合成装置が、前記記入情報のデータ形式を元のデータ形式から印刷用の画像データ形式に変換し、データ形式を変換した前記記入情報を、前記印刷データにおいて予め設定された画像データと合成することにより、画像データ形式の印刷データを生成するステップと、
印刷装置が、前記合成装置が生成した前記印刷データを印刷するステップと、を備える
印刷方法。
（付記１１）
前記変換装置は、データ形式を変換した前記記入情報を、前記印刷データのどの箇所に当該記入情報が記入されるかを指定する指定情報とともに前記合成装置に送信し、
前記合成装置は、前記指定情報が指定した前記画像データの箇所に前記記入情報を合成する、
付記１ないし５のいずれか一項に記載の印刷システム。
（付記１２）
前記変換装置は、前記記入情報のデータ形式を、前記画像データの画像データ形式と同じ画像データ形式又は当該画像データ形式に変換可能な画像データ形式に変換する、
付記１ないし５のいずれか一項に記載の印刷システム。
（付記１３）
印刷データを印刷する印刷システムに設けられた合成装置であって、
携帯端末がユーザの操作に応じて決定した印刷データへ記入する記入情報の内容を取得し、取得した当該記入情報のデータ形式を、元のデータ形式から印刷用の画像データ形式に変換し、データ形式を変換した当該記入情報を、前記印刷データにおいて予め設定された画像データと合成することにより、印刷装置に印刷させる画像データ形式の印刷データを生成して、当該印刷データを印刷させるために当該印刷装置に当該印刷データを出力する、
合成装置。
（付記１４）
前記合成装置は、前記携帯端末に、前記記入情報の内容を決定させるためのＷｅｂページの情報を送信するサーバであり、
前記携帯端末は、前記Ｗｅｂページから決定した前記記入情報の内容を前記合成装置に送信する、
付記８に記載の印刷システム。
（付記１５）
前記合成装置は、前記記入情報の候補となる候補情報を格納するデータベースを有し、
前記携帯端末は、前記データベースにアクセスして前記候補情報を選択することにより、前記記入情報の内容を決定する、
付記８に記載の印刷システム。
【符号の説明】
【０１２２】
１  印刷システム
２  変換装置
３  合成装置
４  ネットワーク
５  携帯端末
６  サーバ
７  印刷装置
８  ネットワーク
１０  印刷システム
１１  スマートデバイス
１２  複合機
１２０  コントローラ
１２１  ＣＰＵ
１２２  ＲＯＭ
１２３  ＲＡＭ
１２４  画像処理部
１２５  ネットワークインタフェース部
１２６  操作パネル部
１２７  プリンタ部
１２８  スキャナ部
１３  ネットワーク
１４  無線ＬＡＮアクセスポイント
１５  無線ＬＡＮ
１６  印刷アプリ
１７  データベース
１８  帳票フォーマット
２０  印刷システム
２１  スマートデバイス
２２  複合機
２３  ネットワーク
２４  無線ＬＡＮアクセスポイント
２５  無線ＬＡＮ
２６  Ｗｅｂページ
２７  データベース
２８  帳票フォーマット
２９  サーバ
【図１】
2014215674.tif 000003
【図２】
2014215674.tif 000004
【図３】
2014215674.tif 000005
【図４】
2014215674.tif 000006
【図５】
2014215674.tif 000007
【図６】
2014215674.tif 000008
【図７】
2014215674.tif 000009
【図８Ａ】
2014215674.tif 000010
【図８Ｂ】
2014215674.tif 000011
【図９Ａ】
2014215674.tif 000012
【図９Ｂ】
2014215674.tif 000013
【図１０】
2014215674.tif 000014
【図１１Ａ】
2014215674.tif 000015
【図１１Ｂ】
2014215674.tif 000016